(57)【要約】      （修正有）【課題】補強部片の継ぎ目が目立たず、被せ蓋が強固に固着するとともに、机上に安定して樹立するランドセルを提供する。【解決手段】被せ蓋８と、底面部３を有して内部に収容部４を設けるマチ部５を両側に有した枠板６と、底面部３に、雌部と雄部とからなる錠前５１と、一対の肩ベルトの下部を掛止する一対のダルマ部１０を設ける。被せ蓋８の周縁部を被覆する補強部片の両端部の間に隙間からなる継ぎ目を目隠しするカバー部片を取り付けて背板と向い合せに重合した被せ蓋８の中央部分に縫着部を設け、脊板とマチ部先端片と被せ蓋とで上部両側に設けた重合部に貫通させた貫通孔に挿入した受筒と圧入ピンと保持金とからなる補強具で固着し、下面に下り斜面部を設けた錠前と一対のダルマ部とで形成した三角形の各頂点でランドセルを３点支持で樹立させる。【選択図】図１
0003176246.tif 000002
【実用新案登録請求の範囲】
【請求項１】
脊板と両マチ部と底面部とで内部に収容部を形成し、該収容部の上部開口を開閉する被せ蓋を該背板上部に取り付け、該背板の上部中央に取り付けた一対の肩ベルトの下部を前記底面部に取外可能に掛止し、該底面部に設けた錠前の雌部に掛止させる雄部を前記被せ蓋の先端に設けたランドセルにおいて、前記被せ蓋の周縁部をＵ字状に被覆した柔軟素材の両端部の間に隙間からなる継ぎ目を有した補強部片の両端部に、弾力性を有したカバー部片を嵌合して該継ぎ目を目隠しすることを特徴とするランドセル。
【請求項２】
前記カバー部片は、ミシン縫着可能な合成樹脂製の支持板の下部に段部を介して設けた収容溝の先端上部に設けた係止段部と前記支持板との間に挿入口を形成し、該挿入口から収容溝内に前記補強部片の両端部を収容して前記段部と係止段部とに掛止させた該カバー部片の支持板を被せ蓋の裏面に当接させて前記背板と被せ蓋の中央部分に設けた縫着部により一体に固定してなる請求項２記載のランドセル。
【請求項３】
脊板と両マチ部と底面部とで収容部を形成し、該収容部の上部開口を開閉する被せ蓋を該背板上部に取り付け、該背板の上部中央に上部を取り付けた一対の肩ベルトの下部を前記底面部に取外可能に掛止し、該底面部に設けた錠前の雌部に掛止させる雄部を前記被せ蓋の先端に設けたランドセルにおいて、前記マチ部の折り曲げた先端片の両側上部とを背板２の両側端を当接して上下方向に縫着固定した該背板の両側上部に向い合せに前記被せ蓋を重合させて上部両側に設けた重合部に貫通孔を設け、該被せ蓋の中央部分を左右方向に複数列に縫着した縫着部で連結すると共に、前前記背板の両端上部とマチ部先端片の上部に前記収容部内から補助具の保持金を挿入圧着して該保持金に設けた通孔と合致させ、前記重合部に開口した該貫通孔に受筒を挿入し、前記被せ蓋側から該貫通孔内に位置する前記受筒内に圧入ピンを圧入固着してなるランドセル。
【請求項４】
前記補強具は、合成樹脂製の受頭部に孔部を設けた受筒と、合成樹脂製のピン頭部に基部を固着した金属支柱の周面に前方に下り斜面を有し後面を直立させて円形食込刃を複数設けた圧入ピンと、コ字型をした保持金とからなり、該保持金の連結部両端を鋭角に折り曲げて設けた前部片及び後部片に弾発力を設けると共に、前記前部片及び後部片の中央に通孔を設けてなる請求項３記載のランドセル。
【請求項５】
脊板と両マチ部と底面部とで内部に収容部を形成し、該収容部の上部開口を開閉する被せ蓋を該背板上部に取り付け、該背板の上部中央に取り付けた一対の肩ベルトの下部を前記底面部に取外可能に掛止し、該底面部に設けた錠前の雌部に掛止する雄部を前記被せ蓋の先端に設けたランドセルにおいて、前記底面部の中央部に取り付けた雌部に着脱可能に連結する雄部を前記被せ蓋に連結した連結部材の先端に取り付け、該雄部の下面に設けた前記背板側への下り傾斜面からなる中央支点Ｓと、前記底面部の背板側前部両側に回動可能に取り付けた一対のダルマ部の下面に設けた山形状の斜面からなる側部支点Ｔ，Ｕとで形成した三角形の各頂点に設けた前記支点Ｓ，Ｔ，Ｕでランドセルを３点支持により前傾して机上に樹立させることを特徴とするランドセル。
【考案の詳細な説明】
【技術分野】
【０００１】
本考案は、ランドセルの改良に関するものである。
【背景技術】
【０００２】
従来の学童用ランドセルは、図１５、１６に示すように、背板６５と底面部６６を具えて両側に位置した襠部６７、６７の端部及び該底面部の端部を前記背板の両側及び底面端部に当接させて縫着してコバ部６８を形成し、背板６５の上部と下向きに向い合せに重合させた被せ蓋６９の上部を、該背板の上部に沿って左右水平方向の両端まで縫着して縫着部７０を設けて連結してある。
【０００３】
背板６５の上部と下向きにした被せ蓋６９の上部を向かい合わせに重合させて、該被せ蓋の上端部分を両側端まで水平方向に例えば２列に縫着して形成した縫着部７０は、背板及び被せ蓋の両端部分まで縫着してあるため、該縫着部の両端部分を補強してないと、学童がランドセルを繰り返し長い間使用していると縫糸が擦り切れて該ランドセルが破損することがある。
【０００４】
上記欠点を防ぐため、向い合せに重さねた被せ蓋６９と背板６５の上部を左右方向両端まで縫着して形成した縫着部７０はせ板及び被せ蓋の両端まで形成し、背板と襠部端部が外方に突出したコバ部６８と下向きに位置させた被せ蓋の上端両側端を、Ｕ字金具７１を用いて外側から挟み込んで圧着固定して補強するため作業性が悪かった。
【０００５】
被せ蓋６９の上端両側と前記コバ部６８の上端とを合致してＵ字金具７１を外側から包み込んで圧着させると、被せ蓋とコバ部を強固に固着することはできるが、コバ部６８に圧着して取り付けたＵ字金具は、該コバ部より外側に突出すると共に強い力で圧着する工程を必要とするため作業性が悪いという問題点を有していた。
【０００６】
さらにまた、ランドセルの底面部６６の外面中央に通り付けた方形状をした取付基板７４の両端部に、肩ベルト７３の下部を係止するダルマ部７９，７９を取り付けてあり、該取付基板の中央部には水平方向に回動可能に掛止金７５を設けてあって、該被せ蓋６９の下部に連結した連結部材７６の先端に取り付けた取付口金７７の中央部に有した挿入口７８を前記掛止金７５に挿入して掛止し、この掛止金７５をを９０度回転させることにより取付口金７７を掛止して固定させた被せ蓋６９の先端すなわち下部を前記底面部６６に掛止している。
【０００７】
さらにまた、従来のランドセルの底面部６６の中央には、前記背板と並行に位置して方形状の取付基板７４を取り付け、該取付基板の両端部分に肩ベルトの下部を取り付けるダルマ部７９，７９を固定してある（図１６はコバ有りランドセルを示す）。ここで、例えば、特開２００１−２５２１２１号公報に示したコバ無しランドセルの場合、平坦の底面部の中央部に背板と平行に取り付けた方形状の取付基板の両端部分にそれぞれ取り付けたダルマ部と、該取付基板の中央に位置した被せ蓋係止用の錠部とを直線状に位置して取り付けてあるため、ランドセルを机上に樹立させる場合、きわめて安定性が悪く倒れやすかった。例えば、ランドセルの収容部内に収容してある教科書が片寄ったりしてランドセルの重心が移動している場合には、ランドセルを机上に樹立することが困難であり、また樹立させても倒れやすいという問題点を有していた。
【先行技術文献】
【特許文献】
【０００８】
【特許文献１】実用新案登録第３１１０７３７号公報
【特許文献２】実開昭６４−３５０１３号公報
【特許文献３】特開２００２−３４６３５号公報
【特許文献４】特開２００１−２５２１２１号公報
【考案の開示】
【考案が解決しようとする課題】
【０００９】
本考案は上記した種々の問題点を解決するために考案したものであり、その課題の１は、
補強部片の継ぎ目を目立たないようにするもので、被せ蓋の周縁部を被覆する補強部片の継ぎ目を隠すと共に、該補強部片の継ぎ目を補強するカバー部片の支持板を該被せ蓋の内面に収容し、前記縫着部の縫着により背板と被せ蓋を重合させて一体に縫着して補強部片の継ぎ目を目隠して、外部から該継ぎ目が目立たないようにすると共に、補強部片の継ぎ目の強度を高めることである。
【００１０】
また課題の２は、脊板の上部両側に上下を逆さに位置して重合させた被せ蓋の上部両側に貫通孔を設け、該貫通孔に補強具を挿入して簡単に固着させるもので、コバ無しランドセルの背板の上部に下向きにして向かい合わせに重ねた被せ蓋の中央部分に左右水平方向に縫着して縫着部を形成し、該背板の上端両側とマチ部端部で該背板の両側端を包み込んで折り曲げた先端片と前記被せ蓋の上部両側端に設けた重合部にそれぞれ貫通孔を形成し、該背板の上部両側とマチ部先端片に上方から保持金を挿入圧着すると共に、該保持金の通孔に合致させた該貫通孔に収容部側から受筒を挿入し、前記被せ蓋側から圧入ピンを圧入して前記受筒に圧入固着させ、ランドセルの外側に突出物を設けることなく容易に固着するものである。
【００１１】
さらに課題の３は、ランドセルの底面部に設けた錠前の雌部と、同じく底面部に別個に設けた一対のダルマ部とで、直線状ではなく三角形状をした各頂部に位置させた３か所の支点を設けたもので、コバ無しランドセルの底面部の背板側の前部両側に取り付けた肩ベルトの下部を掛止する一対のダルマ部と、該底面部の中央部に位置して取り付けた雌部と被せ蓋の下部に装着した雄部とを取外可能に連結する錠前とからなり、該錠前の雄部からなる中央支点Ｓと、２つのダルマ部からなる両側部支点Ｔ，Ｕとで形成した三角形、例えば二等辺三角形の各頂点からなる支点Ｓ，Ｔ，Ｕを形成し、各支点Ｓ，Ｔ，Ｕで安定して支持してランドセルを机上に樹立させる。この場合、錠前の底面に前方に下り勾配の傾斜面を設けたことによりランドセルを前方に傾斜させて、該ランドセルの重心を前方に移動させることにより、３点支持により安定して机上に樹立させるものである。
【課題を解決するための手段】
【００１２】
上記課題を解決するために本考案は、脊板２と両マチ部５と底面部３とで内部に収容部４を形成し、該収容部の上部開口を開閉する被せ蓋８を該背板上部に取り付け、該背板の上部中央に取り付けた一対の肩ベルト１１の下部を前記底面部３に取外可能に掛止し、該底面部に設けた錠前５１の雌部４５に掛止させる雄部５３を前記被せ蓋の先端に設けたランドセル１において、前記被せ蓋８の周縁部をＵ字状に被覆した柔軟素材の両端部の間に隙間からなる継ぎ目１３を有した補強部片１２の両端部１２ａ、１２ａに、弾力性を有したカバー部片１５を嵌合して該継ぎ目１３を目隠しすることを特徴とする。また、前記カバー部片１５は、ミシン縫着可能な合成樹脂製の支持板１６の下部に段部１７を介して設けた収容溝１８の先端上部に設けた係止段部１８ａと前記支持板との間に挿入口１９を形成し、該挿入口から収容溝内に前記補強部片の両端部を収容して前記段部と係止段部とに掛止させた該カバー部片の支持板１６を被せ蓋８の裏面に当接させて前記背板と被せ蓋の中央部分Ｘに設けた縫着部１４により一体に固定してなることを特徴とする。
【００１３】
上記したように、被せ蓋の周縁部に被覆させた補強部片１２の両端部１２ａ，１２ａの間に設けた隙間からなる継ぎ目１３を外部から隠すため、ミシンで縫着できるような柔軟で弾力性を有したカバー部片１５を、該継ぎ目を存した補強部片の両端部１２ａ，１２ａに嵌合させて該継ぎ目を目隠し、該継ぎ目を設けた補強部片１２の脆弱部分を補強することができる。
【００１４】
さらに本考案は、脊板２と両マチ部５と底面部３とで収容部４を形成し、該収容部の上部開口を開閉する被せ蓋８を該背板上部に取り付け、該背板の上部中央に上部を取り付けた一対の肩ベルト１１の下部を前記底面部３に設けた一対のダルマ部１０，１０に取外可能に掛止し、該底面部に設けた錠前５１の雌部４５に掛止させる雄部５３を前記被せ蓋の先端に設けたランドセルにおいて、前記マチ部５の折り曲げた先端片５ａの両側上部と該背板の両側端に当接して上下方向に縫着固定した該背板の両側上部に向い合せに前記被せ蓋を重合して上部両側に設けた重合部Ｍ，Ｍに貫通孔３８，３８を設け、該被せ蓋の中央部分Ｘを左右方向に複数列に縫着した縫着部１４で連結すると共に、前前記背板の両端上部とマチ部先端片上部に補助具３５の保持金３０を挿入圧着して該保持金３０に設けた通孔３４と前記貫通孔３８，３８とを合致させ、前記重合部に開口した該貫通孔に受筒２２を挿入し、前記被せ蓋側から該貫通孔３８内に位置する前記受筒２２内に圧入ピン２６を圧入固着してなることを特徴とする。前記前記補強具３５は、合成樹脂製の受頭部２３に孔部５を設けた受筒２２と、合成樹脂製のピン頭部２７に基部を固着した金属支柱２８の周面に前方に下り斜面を有し後面を直立させて円形食込刃２９を複数設けた圧入ピン２６と
、コ字型をした保持金３０とからなり、該保持金の連結部両端を鋭角に折り曲げて設けた前部片３２及び後部片３３に弾発力を設けると共に、前記前部片及び後部片の中央に通孔３４を設けてある。
【００１５】
上記のように、背板２の両端と背板両端を外側から包み込むマチ部先端片５ａと被せ蓋の上部両側に設けた重合部Ｍ，Ｍに貫通孔３８，３８を設け、該背板の両側部およびマチ部先端片５ａの上部から保持金３０で挿入圧着して固定し、保持金の通孔３４と前記貫通孔３８を合致させて収容部側から受筒２２を挿入し、反対側の被せ蓋８の上部両側に設けた前記貫通孔３８から挿入する注入ピン２６を前記受筒２２内に圧入固着させるため、該受筒と圧入ピンは緩むことがない。また、該被せ蓋と背板は、前記受筒と圧入ピンと保持金とからなる補強具で固着させて、該被せ蓋と背板の中央部分Ｘに設けた前記縫着部１４で固着して強固に連結させることができる。
【００１６】
さらに本考案は、脊板２と両マチ部５と底面部３とで内部に収容部４を形成し、該収容部の上部開口を開閉する被せ蓋８を該背板上部に取り付け、該背板の上部中央に取り付けた一対の肩ベルト１１の下部を前記底面部３に取外可能に掛止し、該底面部３に設けた錠前５１の雌部４５に掛止する雄部５３を前記被せ蓋の先端に設けたランドセルにおいて、前記底面部３の中央部に取り付けた雌部４５に着脱可能に連結する雄部５３を前記被せ蓋に連結した連結部材４２の先端に取り付け、該雄部の下面に設けた前記背板側への下り傾斜面５６からなる中央支点Ｓと、前記底面部の背板側前部両側に回動可能に取り付けた一対のダルマ部１０，１０の下面に設けた山形状の斜面１０ａ，１０ａからなる側部支点Ｔ，Ｕとで形成した三角形の各頂点に設けた前記支点Ｓ，Ｔ，Ｕでランドセルを前傾して机上に樹立させることを特徴とする。
【００１７】
上紀のように、ランドセルの底面部の中央に設けた錠前１１の下面に、前記背板側方向に下り傾斜面５６を設け、該底面部の前記背板側の前部両側に取り付けた一対のダルマ部１０，１０の下面に山形をした斜面を形成し、前記錠前の下面からなる中央支点Ｓと前記ダルマ部の下面からなる両側部支点Ｔ，Ｕとで形成した三角形、特に二等辺三角形の各頂点により形成した各支点Ｓ，Ｔ，Ｕを設けると共に、前記錠前５１に設けたの下り傾斜面５６と、前記ダルマ部の下面に設けた斜面５６とで前傾したランドセルを机上に樹立させると、重心を強制的に前方に移動して該ランドセルを安定して樹立させることができる。
【考案を実施するための最良の形態】
【００１８】
本考案に係る実施の形態を図面に基づいて説明すると、図１は肩ベルトを省略したランドセルの斜視図、図２は背板上部に被せ蓋を連結した状態の一部省略したランドセルの正面図、図３は補強部片の継ぎ目にカバー部片を取り付けた被せ蓋と背板との連結部分を示す要部拡大図、図４は周縁部に隙間からなる継ぎ目を両端部の間に設けた補強部片を装着した被せ蓋の平面図、図５は図４のＡ―Ａ線方向拡大断面図、図６はカバー部片の（ａ）正面図及び（ｂ）側面図、図７は（ｃ）受筒と、（ｄ）圧入ピンと、保持金の（ｅ）側面図、（ｆ）正面図をそれぞれ示した補強具の分解図である。図８被せ蓋を開いたランドセルの一部省略した斜視図、図９はランドセルの一方のマチ部先端片と背板及び被せ蓋の上方端部の重合部に設けた貫通孔に補強具を固着させた状態の要部拡大図、図１０は図９のＢ−Ｂ線方向拡大断面図、図１１はランドセルの底面図、図１２はランドセルの底面部に取り付けた雌部と、被せ蓋の連結部材の先端に取り付けた雄部とを分離させた錠前を示す拡大側面図、図１３はランドセルの底面部に取り付けたダルマ部の側面図、図１４はランドセルを前方に傾斜して一対のダルマ部と錠前とで机上に樹立させた状態の説明図である。
【００１９】
図１及び８に示すように、コバ無しランドセル１は、背板２と底面部３を有して内部に収容部４を設ける両マチ部５を有した枠板６と、第２収容部４ａと、前ポケット７と、前記脊板の上部に取り付けて前記収容部に設けた上部開口を開閉させる被せ蓋８とで構成されている。さらに、該背板２の上部中央に取り付けた背環９（図９）と、前記底面部３に通り付けた一対のダルマ部１０とに、連結可能な上下のベルトからなる一対の肩ベルト１１を取外可能に連結してある。
【００２０】
前記背板２の上部に連結させる被せ蓋８は、図４に示す如く、その周縁部に柔軟な皮革や合成皮革等の柔軟素材からなる補強部片１２をＵ字状に折り曲げながら被覆しながら縫着してある。この被せ蓋８の周縁部を補強する補強部片１２は、被せ蓋の素材周縁部を切断することにより生じたエッジ部を包み込んで学童が該エッジ部により負傷するのを防止すると共に、ランドセルの収容部４内から教科書を出し入れするたび毎に、該被せ蓋は繰り返し湾曲させられて経時的に劣化するのを防止している。
【００２１】
被せ蓋８の周縁部に被覆して取り付ける補強部片１２の両端部１２ａ，１２ａの間に設けた隙間からなる継ぎ目１３が外部から見えると、補強部片に切れ目を設けたような異常な外観を有刷る欠点がある。さらに、隙間からなる継ぎ目１３は、該継ぎ目部分の補強部片１２の強度が補強部片の他の補強部分に比べて強度が劣化して弱いという問題点を有していた。
【００２２】
図６において、１５は弾力性を有していて工業ミシン縫着が可能な柔軟素材からなる合成樹脂材を用いて成形加工されたカバー部片で、平板状の支持板１６の下部に連続して外方に突出して設けた段部１７を介して下方にＵ字状の収容溝１８を設けてある。この収容溝の上端には前記支持板１６に沿って挿入口１９を両端まで形成し、該挿入口の先端を内方に折り曲げたことにより前記補強部片の一方の根元を掛止する係止爪片１８ａを設け、該補強部片の他方の根元は前記段部１７によって掛止する。
【００２３】
前記補強部片１２で周縁部を被覆して被せ蓋８の上部に位置する補強部片の両端部１２ａ
，１２ａの間に設けた隙間からなる継ぎ目１３を外側から隠すため、図２に示すように、
背板に対して、図６に示すように、支持板１６を上方に位置し、中間に継ぎ目を位置させた補強部片１２の下部に挿入口１９を位置させ、次いで、カバー部片１５を上方に押し込むと、該挿入口を押し広げながら補強部片１２を内部に収容しながら収容溝１８が押し上げられ、該上補強部片の上方、即ち根元部分に前記段部１７及び係止段部１８ａが掛止して、該カバー部片が下方に脱落することがなく（図６（ｂ））、該継ぎ目１３はカバー部片の前面部１５ａによって違和感なく目隠しすることができる。
【００２４】
前記補強部片の継ぎ目１３をカバー部片１５で覆って該被せ蓋８の中央部分Ｘを水平方向に例えば２列に縫着した縫着部１４により、被せ蓋８と脊板２の間に図６に示すように支持板１６を一体に縫着して固着してある。この場合、支持板１６は少なくとも一列縫着すればよく、必ずしも２列縫い着する必要はない。また、必要に応じて支持板の表面部分に接着剤を塗布してもよい。
【００２５】
前記補強部片の両端部１２ａ，１２ａの間に設けた前記継ぎ目１３は、カバー部片１５によって目隠しされると共に該継ぎ目を有する補強部片の強度劣化を補強している。その上、このカバー部片１５は補強部片と同じ色にして目立たなくすることもできるし、また、該補強部片の色と異なる目立つ色にしたり、光が反射する素材で形成することにより特異なワンポイントのデザインを設けることもできるものである。
【００２６】
図７は、脊板とマチ部先端片と被せ蓋の上部両側部に位置する重合部Ｍ，Ｍにそれぞれ設けた貫通孔に簡単に装着して固着させる補強部３５を示したもので、（ｃ）は合成樹脂製の受筒２２で、円形状の頭部２３の中心から前方に突出させた筒部２４内に先端から有底状の孔部２５を設けてある。（ｄ）は圧入ピン２６で、合成樹脂製の円形状のピン頭部２７の前部中心に固着した金属支柱２８の周面に、前面に下り勾配の斜面を有し後面を直立させて周縁部を尖端状に形成した食込刃２９を一定間隔毎に複数形成してある。（ｅ）は合成樹脂製又は金属製で略コ字型に形成して側面から見た保持金３０で、連結部３１の両端を鋭角に成形加工または折り曲げ加工した前部片３２及び後部片３３に弾発力を付与すると共に、該前部片及び後部片の下部に前記受筒２２が挿入できる口径をした通孔３４を設けてある。（ｈ）は正面から見た保持金である。
【００２７】
図８及び９において、背板２の上部両側端部をマチ部５の端部で脊板の両側端部を外側から包み込んで折り曲げた先端片５ａと、該背板の側端部を合致させて上下方向に縫着し、該背板上部に被せ蓋８の上部を下向きにして向い合わせに重ねて、被せ蓋の中央部分Ｘに縫着して設けた縫着部１４により背板２の上部に一体に縫着固定される。この場合、前記継ぎ目１３を覆って補強部片１２に取り付けたカバー部片１５を有した被せ蓋８は、図２、３に示すように、被せ蓋の中央部分Ｘに設けた縫着部１４により前記カバー部片１５の支持板１６も一体に縫着固定される。
【００２８】
さらに、図２に示すように、脊板２の上部両側と前記マチ部先端片５ａと被せ蓋２の上部両側との重合部Ｍ、Ｍに貫通孔３８、３８を形成し、さらに、背板２とマチ部先端片５ａの上部両側に、図７（ｅ）（ｆ）に示した保持金３０の前部片３２と後部片３３を上方から圧入して前記背板２とマチ部先端片５ａとを圧着すると共に、該保持金３０の通孔３４と貫通孔３８とを合致させ、収容部４内から保持金の通孔３４及び貫通孔３８に受筒の筒部２４を挿入する。
【００２９】
図２及び８おいて、背板の表側上部を前記中央部分Ｘに形成した縫着部１４により連結した前記被せ蓋８の上部両側に位置する重合部Ｍ，Ｍに設けた貫通孔３８、３８内に収容部側から挿入させた受筒の孔部２５内に、他側すなわち背板の表面上部両側に位置する貫通孔３８，３８内に、圧入ピンの支柱８を圧入して該圧入ピンの食込刃２９を該受筒の孔部２５の内壁面に食い込ませて固定する。この圧入ピン２６の食込刃２７は連続したスパイラル凸条ではなく別個の同心円状に形成した食込刃２９であるから、回転させても空転するだけで抜け出せない作用を有している。
【００３０】
上記のように、被せ蓋８と背板２の連結部分は、背板２及び被せ蓋８の中央部分Ｘに水平方向に設けた縫着部１４による固着と、該縫着部の両側に延長した端部であって、背板２とマチ部先端片５ａと被せ蓋８の両側端部に設けた重合部Ｍ、Ｍに夫々設けた貫通孔３８、３８に、保持金３０と受筒２２と圧入ピン２６とからなる補強具３５を固着させることにより、該被せ蓋を背板の上部両側に簡単な補強具を用いて強固に取り付けることができる。この場合、縫着部１４は被せ蓋上部の中央部分Ｘの比較的短い範囲に形成するため、従来に比べて縫着時間が短縮でき作業性を向上させる利点を有する。
【００３１】
図１、１２において、ランドセルの底面部３の中央部に取り付けた錠前５１を構成する一方の雌部４５は、底面部の外面に取り付けた雌本体４６の中央部に円形をした嵌合穴４７を設けると共に、反背板側の後方からバネ４８で弾発させて係止爪４９を具えた操作片５０を該雌本体内に進退動可能に収容してある。
【００３２】
雄部の係止鍔５４を雌部の嵌合穴４７に嵌合させると、該係止鍔は操作片５０に設けた係止爪４９に掛止して雄部と雌部は連結する。ついで、該錠前を分離させるには、バネ４８に抗して操作片５０を前進させると、該係止爪４９から係止鍔５４が外れ、それによって該雌部の嵌合穴４７から分離して下方に移動して該雄部は雌部４５から分離させることができるものである。
【００３３】
錠前の他方をなす雄部５３は、被せ蓋の先端または被せ蓋の先端に連結した連結部材４２の先端に貫通して取り付けてあり、該雄部の上部には前記雌本体の嵌合穴４７に嵌合して前記係止爪４９と係止する係止鍔５４を設けてある。該雄部の下部に設けた雄本体５５は、ランドセルの背板側に下り傾斜面５６を設け、前記雌部４５と雄部５３を着脱可能に連結させる錠前５１を取り付けてある。図１１に示すように、錠前の下部に位置する雄部の下面には、背板側すなわちランドセルの背板前方に向かって下り傾斜面５６を設けてあるので、該下り傾斜面を机上に樹立させるとランドセルは前傾状態で樹立するものである。
【００３４】
雄部の下面に設けた下り傾斜面５６によってランドセルを机上に樹立させた場合、該下り傾斜面によってランドセルは少し前傾して樹立させられる。そのため、ランドセル自体の重心が中止からずれていたり、前記収容部内に収容した教科書が偏ったよってランドセルの重心中心から変更した場合にも、ランドセルを前傾させることにより重心を強制的に前方に移動させることにより安定して樹立させることができる。
【００３５】
図１１に示すように、ランドセルの底面部３の前部両側下面に回動可能に取り付けた一対のダルマ部１０の下面は、図１３に示すように、底面中心から逆山形状に両側に斜面１０ａ，１０ａを形成してある。また、前記底面部３の中心に設けた錠前の雌部４５に、前記連結部材の先端に設けた雄部を嵌合させたランドセル１を机上に樹立させると、該錠前の下り傾斜面からなる中央支点Ｓと、前記ダルマ部からなる側部支点Ｔ，Ｕとで形成した三角形、特に二等辺三角形の各頂点からなる前記支点Ｓ、Ｔ、Ｕで３点支持させると共に、錠前をなす雄部の下面に設けた下り傾斜面５６によって、前記ランドセルを前傾させて机の上に受理させるため、安定して樹立させることができる効果を有する。
【図面の簡単な説明】
【００３６】
【図１】肩ベルトを省略したランドセルの斜視図である。
【図２】背板上部に被せ蓋を連結した状態の一部省略したランドセルの正面図である。
【図３】補強部片の継ぎ目にカバー部片を取り付けた被せ蓋と背板との連結部分を示す要部拡大図である。
【図４】周縁部に隙間からなる継ぎ目を両端部の間に設けた補強部片を装着させた被せ蓋の平面図である。
【図５】図４のＡ―Ａ線方向拡大断面図である。
【図６】カバー部片の（ａ）正面図及び（ｂ）側面図である。
【図７】（ｃ）受筒と、（ｄ）圧入ピンと、保持金の（ｅ）側面図、（ｆ）正面図をそれぞれ示した補強具の分解図である。
【図８】被せ蓋を開いたランドセルの一部省略した斜視図である。
【図９】ランドセルの一方のマチ部先端片と背板及び被せ蓋の上方端部の重合部に設けた貫通孔に補強具を固着させた状態の要部拡大図である。
【図１０】図９のＢ−Ｂ線方向拡大断面図である。
【図１１】ランドセルの底面図である。
【図１２】ランドセルの底面部に取り付けた雌部と、被せ蓋の連結部材の先端に取り付けた雄部とを分離させた錠前を示す拡大側面図である。
【図１３】ランドセルの底面部に取り付けたダルマ部の側面図である。
【図１４】ランドセルを前方に傾斜して一対のダルマ部と錠前とで机上に樹立させた状態の説明図である。
【図１５】従来のコバ有りランドセルの背板上部と上下を逆さに位置した蓋上部と両マチ部の両側に設けたコバ部に補強金具を取り付けたランドセルの一部省略した正面図である。
【図１６】従来のコバ有りランドセルの底面部に取り付けた取付金具の両側端にそれぞれ取り付けたダルマ部と該取付金具に係合可能に連結する錠前を有するランドセルの斜視図である。
【符号の説明】
【００３７】
１    ランドセル
２    脊板
３    底面部
４    収容部
５    マチ部
５ａ  先端片
６    枠板
８    被せ蓋
９    背環
１０    ダルマ部
１０ａ  斜面
１１    肩ベルト
１２    補強部片
１２ａ  端部
１３    継ぎ目
１４    縫着部
１５    カバー部片
１６    支持板
１８    収容溝
１９    挿入口
２２    受筒
２６    圧入ピン
３０    保持金
３４    通孔
３５    補助具
３８    貫通孔
４２    連結部材
４５    雌部  
４６    雌本体
４７    嵌合穴
４８    バネ
４９    係止爪
５０    操作片
５１    錠前
５３    雄部
５４    係止鍔
５５    雄本体
５６    下り傾斜面
Ｍ    重合部
Ｓ    中央支点
Ｔ    側部支点
Ｕ    側部支点
Ｘ    中央部分
【図１】
0003176246.tif 000003
【図２】
0003176246.tif 000004
【図３】
0003176246.tif 000005
【図４】
0003176246.tif 000006
【図５】
0003176246.tif 000007
【図６】
0003176246.tif 000008
【図７】
0003176246.tif 000009
【図８】
0003176246.tif 000010
【図９】
0003176246.tif 000011
【図１０】
0003176246.tif 000012
【図１１】
0003176246.tif 000013
【図１２】
0003176246.tif 000014
【図１３】
0003176246.tif 000015
【図１４】
0003176246.tif 000016
【図１５】
0003176246.tif 000017
【図１６】
0003176246.tif 000018
【手続補正書】
【提出日】平成24年3月30日(2012.3.30)
【手続補正１】
【補正対象書類名】実用新案登録請求の範囲
【補正対象項目名】全文
【補正方法】変更
【補正の内容】
【実用新案登録請求の範囲】
【請求項１】
脊板と両マチ部と底面部とで内部に収容部を形成し、該収容部の上部開口を開閉する被せ蓋を該背板上部に取り付け、該背板の上部中央に取り付けた一対の肩ベルトの下部を前記底面部に取外可能に掛止し、該底面部に設けた錠前の雌部に掛止させる雄部を前記被せ蓋の先端に設けたランドセルにおいて、前記被せ蓋の周縁部をＵ字状に被覆した柔軟素材の両端部の間に隙間からなる継ぎ目を有した補強部片の両端部に、弾力性を有したカバー部片を嵌合して該継ぎ目を目隠することを特徴とするランドセル。
【請求項２】
前記カバー部片は、ミシン縫着可能な合成樹脂製の支持板の下部に段部を介して設けた収容溝の先端上部に設けた係止段部と前記支持板との間に挿入口を形成し、該挿入口から収容溝内に前記補強部片の両端部を収容して前記段部と係止段部とに掛止させた該カバー部片の支持板を被せ蓋の裏面に当接させて前記背板と被せ蓋の中央部分に設けた縫着部により一体に固定してなる請求項２記載のランドセル。
【請求項３】
脊板と両マチ部と底面部とで収容部を形成し、該収容部の上部開口を開閉する被せ蓋を該背板上部に取り付け、該背板の上部中央に上部を取り付けた一対の肩ベルトの下部を前記底面部に取外可能に掛止し、該底面部に設けた錠前の雌部に掛止させる雄部を前記被せ蓋の先端に設けたランドセルにおいて、前記被せ蓋の周縁部をＵ字状に被覆した柔軟素材の両端部の間に隙間からなる継ぎ目を有した補強部片の両端部に、弾力性を有したカバー部片を嵌合して該継ぎ目を目隠し、前記マチ部の折り曲げた先端片の両側上部と背板２の両側端を当接して上下方向に縫着固定した該背板の両側上部に向い合せに前記被せ蓋を重合させて上部両側に設けた重合部に貫通孔を設け、該被せ蓋の中央部分を左右方向に複数列に縫着した縫着部で連結すると共に、前前記背板の両端上部とマチ部先端片の上部に前記収容部内から補助具の保持金を挿入圧着して該保持金に設けた通孔と合致させ、前記重合部に開口した該貫通孔に受筒を挿入し、前記被せ蓋側から該貫通孔内に位置する前記受筒内に圧入ピンを圧入固着してなるランドセル。
【請求項４】
前記補強具は、合成樹脂製の受頭部に孔部を設けた受筒と、合成樹脂製のピン頭部に基部を固着した金属支柱の周面に前方に下り斜面を有し後面を直立させて円形食込刃を複数設けた圧入ピンと、コ字型をした保持金とからなり、該保持金の連結部両端を鋭角に折り曲げて設けた前部片及び後部片に弾発力を設けると共に、前記前部片及び後部片の中央に通孔を設けてなる請求項３記載のランドセル。
【請求項５】
脊板と両マチ部と底面部とで内部に収容部を形成し、該収容部の上部開口を開閉する被せ蓋を該背板上部に取り付け、該背板の上部中央に取り付けた一対の肩ベルトの下部を前記底面部に取外可能に掛止し、該底面部に設けた錠前の雌部に掛止する雄部を前記被せ蓋の先端に設けたランドセルにおいて、前記被せ蓋の周縁部をＵ字状に被覆した柔軟素材の両端部の間に隙間からなる継ぎ目を有した補強部片の両端部に、弾力性を有したカバー部片を嵌合して該継ぎ目を目隠し、前記底面部の中央部に取り付けた雌部に着脱可能に連結する雄部を前記被せ蓋に連結した連結部材の先端に取り付け、該雄部の下面に設けた前記背板側への下り傾斜面からなる中央支点Ｓと、前記底面部の背板側前部両側に回動可能に取り付けた一対のダルマ部の下面に設けた山形状の斜面からなる側部支点Ｔ，Ｕとで形成した三角形の各頂点に設けた前記支点Ｓ，Ｔ，Ｕでランドセルを３点支持により前傾して机上に樹立させることを特徴とするランドセル。
【手続補正２】
【補正対象書類名】明細書
【補正対象項目名】００１４
【補正方法】変更
【補正の内容】
【００１４】
さらに本考案は、脊板２と両マチ部５と底面部３とで収容部４を形成し、該収容部の上部開口を開閉する被せ蓋８を該背板上部に取り付け、該背板の上部中央に上部を取り付けた一対の肩ベルト１１の下部を前記底面部３に設けた一対のダルマ部１０，１０に取外可能に掛止し、該底面部に設けた錠前５１の雌部４５に掛止させる雄部５３を前記被せ蓋の先端に設けたランドセルにおいて、前記被せ蓋８の周縁部をＵ字状に被覆した柔軟素材の両端部の間に隙間からなる継ぎ目１３を有した補強部片１２の両端部１２ａ、１２ａに、弾力性を有したカバー部片１５を嵌合して該継ぎ目１３を目隠し、前記マチ部５の折り曲げた先端片５ａの両側上部と該背板の両側端に当接して上下方向に縫着固定した該背板の両側上部に向い合せに前記被せ蓋を重合して上部両側に設けた重合部Ｍ，Ｍに貫通孔３８，３８を設け、該被せ蓋の中央部分Ｘを左右方向に複数列に縫着した縫着部１４で連結すると共に、前前記背板の両端上部とマチ部先端片上部に補助具３５の保持金３０を挿入圧着して該保持金３０に設けた通孔３４と前記貫通孔３８，３８とを合致させ、前記重合部に開口した該貫通孔に受筒２２を挿入し、前記被せ蓋側から該貫通孔３８内に位置する前記受筒２２内に圧入ピン２６を圧入固着してなることを特徴とする。前記前記補強具３５は、合成樹脂製の受頭部２３に孔部５を設けた受筒２２と、合成樹脂製のピン頭部２７に基部を固着した金属支柱２８の周面に前方に下り斜面を有し後面を直立させて円形食込刃２９を複数設けた圧入ピン２６と、コ字型をした保持金３０とからなり、該保持金の連結部両端を鋭角に折り曲げて設けた前部片３２及び後部片３３に弾発力を設けると共に、前記前部片及び後部片の中央に通孔３４を設けてある。
【手続補正３】
【補正対象書類名】明細書
【補正対象項目名】００１６
【補正方法】変更
【補正の内容】
【００１６】
さらに本考案は、脊板２と両マチ部５と底面部３とで内部に収容部４を形成し、該収容部の上部開口を開閉する被せ蓋８を該背板上部に取り付け、該背板の上部中央に取り付けた一対の肩ベルト１１の下部を前記底面部３に取外可能に掛止し、該底面部３に設けた錠前５１の雌部４５に掛止する雄部５３を前記被せ蓋の先端に設けたランドセルにおいて、前記被せ蓋８の周縁部をＵ字状に被覆した柔軟素材の両端部の間に隙間からなる継ぎ目１３を有した補強部片１２の両端部１２ａ、１２ａに、弾力性を有したカバー部片１５を嵌合して該継ぎ目１３を目隠し、前記底面部３の中央部に取り付けた雌部４５に着脱可能に連結する雄部５３を前記被せ蓋に連結した連結部材４２の先端に取り付け、該雄部の下面に設けた前記背板側への下り傾斜面５６からなる中央支点Ｓと、前記底面部の背板側前部両側に回動可能に取り付けた一対のダルマ部１０，１０の下面に設けた山形状の斜面１０ａ，１０ａからなる側部支点Ｔ，Ｕとで形成した三角形の各頂点に設けた前記支点Ｓ，Ｔ，Ｕでランドセルを前傾して机上に樹立させることを特徴とする。